(57)【特許請求の範囲】
【請求項１】
Ｂｌｕｅｔｏｏｔｈ（登録商標）信号およびＷＬＡＮ信号の送受信を共有するように構成される、無線周波数（ＲＦ）フロントエンドであって、
前記ＷＬＡＮ信号の送信専用の、アンテナと送受信機との間に連結される第１の経路と、
前記Ｂｌｕｅｔｏｏｔｈ（登録商標）信号および前記ＷＬＡＮ信号の同時受信専用の、前記アンテナと前記送受信機との間に連結される第２の経路と、
前記アンテナと前記送受信機との間に連結される第３の経路であって、ＷＬＡＮリンクがアクティブである時に、前記Ｂｌｕｅｔｏｏｔｈ（登録商標）信号の送信だけの専用であり、また、前記ＷＬＡＮリンクがアクティブであり、かつ省電力状態である時、および前記ＷＬＡＮリンクが非アクティブである時に、前記Ｂｌｕｅｔｏｏｔｈ（登録商標）信号の送受信専用である、第３の経路と、
前記Ｂｌｕｅｔｏｏｔｈ（登録商標）信号が受信され、かつ前記ＷＬＡＮリンクがアクティブである時に前記第２の経路を選択し、前記Ｂｌｕｅｔｏｏｔｈ（登録商標）信号が送信される時、及び、前記Ｂｌｕｅｔｏｏｔｈ（登録商標）信号が受信され、前記ＷＬＡＮリンクが省電力状態でアクティブ又は非アクティブである時に前記第３の経路を選択する第１のスイッチと、
を備え、
前記第１のスイッチは、前記第１、第２、および第３の経路のうちのどの経路を前記アンテナに接続するのかを制御するように、前記アンテナと、前記第１、第２、および第３の経路との間に連結される
ＲＦフロントエンド。
【請求項２】
前記第２の経路は、前記アンテナと分割器との間に連結される増幅器をさらに備え、前記分割器は、前記送受信機に連結される、ＷＬＡＮ受信出力経路およびＢｌｕｅｔｏｏｔｈ（登録商標）受信出力経路を有し、前記増幅器は、信号強度の損失を補うために前記Ｂｌｕｅｔｏｏｔｈ（登録商標）信号および前記ＷＬＡＮ信号を増幅するように、前記アンテナから受信した前記Ｂｌｕｅｔｏｏｔｈ（登録商標）信号および前記ＷＬＡＮ信号によって共有され、かつ増幅されたＢｌｕｅｔｏｏｔｈ（登録商標）およびＷＬＡＮ信号を出力し、前記分割器は、前記増幅されたＢｌｕｅｔｏｏｔｈ（登録商標）およびＷＬＡＮ信号を、ＷＬＡＮ受信経路およびＢｌｕｅｔｏｏｔｈ（登録商標）受信経路上に分割する、請求項１に記載のシステム。
【請求項３】
前記増幅器は、低雑音増幅器を備える、請求項２に記載のシステム。
【請求項４】
前記ＷＬＡＮ受信経路は、前記送受信機に連結され、前記Ｂｌｕｅｔｏｏｔｈ（登録商標）受信経路は、Ｂｌｕｅｔｏｏｔｈ（登録商標）受信のための前記第３の経路への入力に連結される、請求項２に記載のシステム。
【請求項５】
前記増幅器は、前記送受信機から発生するイネーブル信号を受信し、それによって、前記第２の経路が前記第１のスイッチにより選択されていない時はいつでも、前記増幅器のスイッチをオフにして、前記ＲＦフロントエンドの電流消費を低減することができる、請求項２に記載のシステム。
【請求項６】
前記増幅器は、前記送受信機から発生するバイパス信号を受信し、前記バイパス信号は、前記第２の経路が前記第１のスイッチにより選択されているが、いかなる利得も必要としない時に、前記Ｂｌｕｅｔｏｏｔｈ（登録商標）信号およびＷＬＡＮ信号に、増幅を伴わずに、前記増幅器を通過させる、請求項２に記載のシステム。
【請求項７】
前記第２のおよび第３の経路は、前記ＲＦフロントエンドが、前記第２の経路上で前記Ｂｌｕｅｔｏｏｔｈ（登録商標）信号を受信している時に、前記分割器によって前記Ｂｌｕｅｔｏｏｔｈ（登録商標）受信経路出力を選択し、前記ＲＦフロントエンドが、前記Ｂｌｕｅｔｏｏｔｈ（登録商標）信号を送信している時に前記第３の経路を選択する、第２のスイッチを使用して多重化される、請求項２に記載のシステム。
【請求項８】
Ｂｌｕｅｔｏｏｔｈ（登録商標）信号およびＷＬＡＮ信号の送受信を共有するための無線周波数フロントエンド（ＲＦフロントエンド）を提供するための方法であって、
前記ＷＬＡＮ信号の送信専用の、アンテナと送受信機との間に連結される第１の経路を提供するステップと、
前記Ｂｌｕｅｔｏｏｔｈ（登録商標）信号および前記ＷＬＡＮ信号の同時受信専用の、前記アンテナと前記送受信機との間に連結される第２の経路を提供するステップと、
前記アンテナと前記送受信機との間に連結される第３の経路を提供するステップであって、前記第３の経路は、ＷＬＡＮリンクがアクティブである時に、前記Ｂｌｕｅｔｏｏｔｈ（登録商標）信号の送信だけの専用であり、また、前記ＷＬＡＮリンクがアクティブであるが省電力状態である時、および前記ＷＬＡＮリンクが非アクティブである時に、前記Ｂｌｕｅｔｏｏｔｈ（登録商標）信号の送受信専用である、ステップと、
第１のスイッチにより、前記Ｂｌｕｅｔｏｏｔｈ（登録商標）信号が受信され、かつ前記ＷＬＡＮリンクがアクティブである時に前記第２の経路を選択し、前記Ｂｌｕｅｔｏｏｔｈ（登録商標）信号が送信される時、及び、前記Ｂｌｕｅｔｏｏｔｈ（登録商標）信号が受信され、前記ＷＬＡＮリンクが省電力状態でアクティブ又は非アクティブである時に前記第３の経路を選択するステップと、
を含み、
前記第１のスイッチは、前記第１、第２、および第３の経路のうちのどの経路を前記アンテナに接続するのかを制御するように、前記アンテナと、前記第１、第２、および第３の経路との間に連結される
方法。
【請求項９】
増幅器が前記アンテナと分割器との間に連結される、前記第２の経路を提供するステップをさらに含み、前記増幅器は、信号強度の損失を補うために前記Ｂｌｕｅｔｏｏｔｈ（登録商標）信号および前記ＷＬＡＮ信号を増幅するように、前記アンテナから受信した前記Ｂｌｕｅｔｏｏｔｈ（登録商標）信号および前記ＷＬＡＮ信号によって共有されて、増幅されたＢｌｕｅｔｏｏｔｈ（登録商標）およびＷＬＡＮ信号を出力し、前記分割器は、前記増幅されたＢｌｕｅｔｏｏｔｈ（登録商標）およびＷＬＡＮ信号を、ＷＬＡＮ受信経路およびＢｌｕｅｔｏｏｔｈ（登録商標）受信経路上に分割する、請求項８に記載の方法。
【請求項１０】
前記増幅器として低雑音増幅器を提供するステップをさらに含む、請求項９に記載の方法。
【請求項１１】
前記ＷＬＡＮ受信経路を前記送受信機に連結するステップと、Ｂｌｕｅｔｏｏｔｈ（登録商標）受信のための前記Ｂｌｕｅｔｏｏｔｈ（登録商標）受信経路を前記第３の経路への入力に連結するステップと、をさらに含む、請求項９に記載の方法。
【請求項１２】
イネーブル信号を前記増幅器に入力し、それによって、前記第２の経路が前記第１のスイッチにより選択されていない時はいつでも、前記増幅器のスイッチをオフにし、電流消費を低減することができる、ステップをさらに含む、請求項９に記載の方法。
【請求項１３】
前記送受信機から発生するバイパス信号を前記増幅器に入力するステップをさらに含み、前記バイパス信号は、前記第２の経路が前記第１のスイッチにより選択されているが、いかなる利得も必要としない時に、前記Ｂｌｕｅｔｏｏｔｈ（登録商標）信号およびＷＬＡＮ信号に、増幅を伴わずに、前記増幅器を通過させる、請求項９に記載の方法。
【請求項１４】
前記ＲＦフロントエンドが、前記第２の経路上で前記Ｂｌｕｅｔｏｏｔｈ（登録商標）信号を受信している時に、前記分割器によって前記Ｂｌｕｅｔｏｏｔｈ（登録商標）受信経路出力を選択し、前記ＲＦフロントエンドが、前記Ｂｌｕｅｔｏｏｔｈ（登録商標）信号を送信している時に前記第３の経路を選択する、第２のスイッチを使用して前記第２のおよび第３の経路を多重化するステップをさらに含む、請求項９に記載の方法。
【請求項１５】
システムであって、
アンテナと、
送受信機と、
前記アンテナと前記送受信機との間に連結され、Ｂｌｕｅｔｏｏｔｈ（登録商標）信号およびＷＬＡＮ信号の送受信を共有するように構成される、フロントエンドであって、
前記アンテナに連結されるスイッチと、
前記ＷＬＡＮ信号の送信専用の、前記スイッチと前記送受信機との間に連結される第１の経路と、
前記Ｂｌｕｅｔｏｏｔｈ（登録商標）信号および前記ＷＬＡＮ信号の同時受信専用の、前記スイッチと前記送受信機との間に連結される第２の経路と、
前記スイッチと前記送受信機との間に連結される第３の経路であって、ＷＬＡＮリンクがアクティブである時に、前記Ｂｌｕｅｔｏｏｔｈ（登録商標）信号の送信専用であり、前記ＷＬＡＮリンクがアクティブであるが省電力状態である時に、前記Ｂｌｕｅｔｏｏｔｈ（登録商標）信号の送受信専用であり、また、前記ＷＬＡＮリンクが非アクティブである時に、前記Ｂｌｕｅｔｏｏｔｈ（登録商標）信号の送受信専用である、第３の経路と、
を有する、フロントエンドとを備え、
前記スイッチは、前記第１、第２、および第３の経路のうちのどの経路を前記アンテナに接続するのかを制御し、前記Ｂｌｕｅｔｏｏｔｈ（登録商標）信号が受信され、かつ前記ＷＬＡＮリンクがアクティブである時に前記第２の経路を選択し、前記Ｂｌｕｅｔｏｏｔｈ（登録商標）信号が送信される時、及び、前記Ｂｌｕｅｔｏｏｔｈ（登録商標）信号が受信され、前記ＷＬＡＮリンクが省電力状態でアクティブ又は非アクティブである時に前記第３の経路を選択する、
システム。
【請求項１６】
前記第２の経路は、前記スイッチと分割器との間に連結される、低雑音増幅器を含み、前記低雑音増幅器は、前記アンテナから受信される前記Ｂｌｕｅｔｏｏｔｈ（登録商標）信号および前記ＷＬＡＮ信号によって共有され、前記低雑音増幅器は、信号強度の損失を補うように、前記Ｂｌｕｅｔｏｏｔｈ（登録商標）信号および前記ＷＬＡＮ信号を増幅して、増幅されたＢｌｕｅｔｏｏｔｈ（登録商標）およびＷＬＡＮ信号を前記分割器に出力し、前記分割器は、前記増幅されたＢｌｕｅｔｏｏｔｈ（登録商標）およびＷＬＡＮ信号を、ＷＬＡＮ受信経路およびＢｌｕｅｔｏｏｔｈ（登録商標）受信経路上に分割する、請求項１５に記載のシステム。
【請求項１７】
前記ＷＬＡＮ受信経路は、前記送受信機に連結され、前記Ｂｌｕｅｔｏｏｔｈ（登録商標）受信経路は、Ｂｌｕｅｔｏｏｔｈ（登録商標）受信のための前記第３の経路の入力に連結される、請求項１６に記載のシステム。
【発明の詳細な説明】
【背景技術】
【０００１】
近年のハンドヘルドプラットフォーム数の増加により、複数の無線ネットワーキング技術を１つの通信集積回路（ＩＣ）上に集積化することが必要になってきた。これらのうちで、最も広く使用される２つの無線ネットワーク技術は、無線ローカルエリアネットワーク（ＷＬＡＮ）（別名、Ｗｉ−Ｆｉ）およびＢｌｕｅｔｏｏｔｈ（登録商標）である。ＷＬＡＮおよびＢｌｕｅｔｏｏｔｈ（登録商標）は、どちらも、２．４ＧＨｚの産業科学医療用（「ＩＳＭ」）帯域の部分を占有する。
【０００２】
Ｂｌｕｅｔｏｏｔｈ（登録商標）は、無線パーソナルエリアネットワーク（「ＰＡＮ」）に使用することができる、工業規格である。Ｂｌｕｅｔｏｏｔｈ（登録商標）は、低帯域幅の状況にある互いに接近した２つ以上のデバイス間で情報を伝達する時に特に有用となり得る。Ｂｌｕｅｔｏｏｔｈ（登録商標）は、携帯電話、ラップトップ、パーソナルコンピュータ、ハンドヘルドコンピュータ、プリンタ、デジタルカメラ、およびビデオゲームコンソール等の、デバイス間での接続および情報の交換に使用することができる。Ｂｌｕｅｔｏｏｔｈ（登録商標）のよくある用途には、携帯電話およびハンズフリーヘッドセット（例えば、Ｂｌｕｅｔｏｏｔｈ（登録商標）イヤホン）の無線制御およびそれらの間の無線通信、ある用途のためのコンピュータ間の無線ネットワーキング、およびコンピュータと入出力デバイス（例えばマウス、キーボード、およびプリンタ）との間の無線通信が挙げられる。Ｂｌｕｅｔｏｏｔｈ（登録商標）は、周波数ホッピングスペクトラム拡散方式（「ＦＨＳＳ」）を使用し、ＩＳＭ帯域の中で７９個の異なる１ＭＨｚ幅のチャネル間をホップできるようにする。
【０００３】
ＷＬＡＮとは、概してローカルエリアネットワーキングに使用される、ＩＥＥＥ８０２．１１規格に基づいた無線技術を指す。ＷＬＡＮのよくある用途には、家庭用電化製品のためのインターネットアクセスおよびネットワーク接続が挙げられる。ＷＬＡＮは、概して、Ｂｌｕｅｔｏｏｔｈ（登録商標）と同じ無線周波数を使用するが、より高い電力を使用して動作し、概して、より遠い距離をカバーすることができる、より強い接続をもたらす。ＷＬＡＮは、ＦＨＳＳの代わりに直接シーケンススペクトル拡散方式（ＤＳＳＳ）を使用する。その搬送波は、ホップしないか、または周波数が変化せず、かつ、その代わりに、２２ＭＨｚ幅である１つのチャネルに保持される。ＩＳＭバンドには、重複ＷＬＡＮチャネルについては１１個の余地があるが、非重複チャネルについては３個しか余地がない。これは、３つの異なるＷＬＡＮネットワークだけしか、相互に近接して動作できないことを意味している。
【０００４】
ＷＬＡＮおよびＢｌｕｅｔｏｏｔｈ（登録商標）無線技術は、どちらもスペクトルを共有し、かつ、しばしば、相互に物理的に近接して位置させることができるので、ある種の干渉が生じる可能性がある。ＷＬＡＮおよびＢｌｕｅｔｏｏｔｈ（登録商標）技術は、干渉中にも機能させ続けることができるが、干渉レベルの増加によって、より多くのパケットを再送信する必要が生じるので、データレートの低下がもたらされ得る。一部の極端な干渉条件では、通信が完全に中断する可能性がある。
【０００５】
ＷＬＡＮおよびＢｌｕｅｔｏｏｔｈ（登録商標）は、どちらも同じ無免許の２．４ＧＨｚのＩＳＭ帯域を使用するが、これらの２つの技術のそれぞれを通じた通信に使用されるリンク層プロトコルは、極めて異なる。これは、ＷＬＡＮおよびＢｌｕｅｔｏｏｔｈ（登録商標）の両方のためのリンク層プロトコルを実行させることができる集積回路（ＩＣ）および外部論理部品の設計に対して、困難な問題を引き起こす。換言すれば、エンドユーザが同じデバイス上でＷＬＡＮおよびＢｌｕｅｔｏｏｔｈ（登録商標）の両方を同時に使用するためには、これらの２つの技術を、時間および周波数の両方において、互いに共存させることが必要である。とりわけ、この問題を解決するために、適切な時分割複信（ＴＤＤ）およびＲＦ分離手法が求められる。
【発明の概要】
【０００６】
Ｂｌｕｅｔｏｏｔｈ（登録商標）信号およびＷＬＡＮ信号の送受信を共有するように構成される、無線周波数（ＲＦ）フロントエンド。例示的な一実施形態では、ＲＦフロントエンドは、ＷＬＡＮ信号の送信専用の、アンテナと送受信機との間に連結される第１の経路と、Ｂｌｕｅｔｏｏｔｈ（登録商標）信号およびＷＬＡＮ信号の同時受信専用の、アンテナと送受信機との間に連結される第２の経路と、アンテナと送受信機との間に連結される第３の経路とを備える。第３の経路は、ＷＬＡＮリンクがアクティブである時に、Ｂｌｕｅｔｏｏｔｈ（登録商標）信号の送信だけの専用となり得、また、ＷＬＡＮリンクがアクティブであり、かつ省電力状態である時、およびＷＬＡＮリンクが非アクティブである時に、Ｂｌｕｅｔｏｏｔｈ（登録商標）信号の送受信専用となり得る。
【０００７】
別の実施形態では、当該システムは、アンテナと、送受信機と、Ｂｌｕｅｔｏｏｔｈ（登録商標）信号およびＷＬＡＮ信号の送受信を共有するように構成される、アンテナと送受信機との間に連結されるフロントエンドとを含む。スイッチが、アンテナと送受信機との間に連結され、当該スイッチには、ＷＬＡＮ信号の送信専用の、スイッチと送受信機との間に連結される第１の経路と、Ｂｌｕｅｔｏｏｔｈ（登録商標）信号およびＷＬＡＮ信号の同時受信専用の、スイッチと送受信機との間に連結される第２の経路と、スイッチと送受信機との間に連結される第３の経路との３つの経路が連結される。
【０００８】
第３の経路は、ＷＬＡＮリンクがアクティブである時に、Ｂｌｕｅｔｏｏｔｈ（登録商標）信号の送信専用であり、ＷＬＡＮリンクがアクティブであるが省電力状態である時に、Ｂｌｕｅｔｏｏｔｈ（登録商標）信号の送受信専用であり、また、ＷＬＡＮリンクが非アクティブである時に、Ｂｌｕｅｔｏｏｔｈ（登録商標）信号の送受信専用であり、スイッチは、第１、第２、および第３の経路のうちのどの経路をアンテナに接続するのかを制御する。
【図面の簡単な説明】
【０００９】
【図１】電子デバイスにおけるＢｌｕｅｔｏｏｔｈ（登録商標）およびＷＬＡＮの共存のためのシステムアーキテクチャの例示的な一実施形態を示す図である。
【００１０】
【図２】一実施形態による、ＲＦフロントエンドアーキテクチャを示すブロック図である。
【発明を実施するための形態】
【００１１】
本発明は、ＷＬＡＮおよびＢｌｕｅｔｏｏｔｈ（登録商標）のための共存アーキテクチャに関する。以下の説明は、当業者による本発明の構成および使用が可能となるように提示され、また、特許出願およびその要件に照らして提供される。本明細書で説明される実施形態、一般的な原理、および特徴に対して種々の変更を行うことができる。したがって、本発明は、示される実施形態に限定することを意図するものではなく、本明細書で説明される原理および特徴に一致する最も広い範囲に従うものである。
【００１２】
本発明は、主に、特定の実装例で提供される特定のシステムに関して説明される。例えば、システムは、無線ローカルエリアネットワーク（ＷＬＡＮ）との使用について説明される。しかしながら、本方法およびシステムは、他の実装例で有効に運用され得る。例えば、本発明とともに使用可能なシステム、デバイス、およびネットワークは、Ｗｉ−Ｍａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）技術との使用等の、数多くの異なる方式を取ることができる。本発明はまた、あるステップを有する特定の方法に照らして説明される。しかしながら、本方法およびシステムは、本発明と矛盾することのない、異なる、および／または付加的なステップを有する他の方法を有効に運用する。
【００１３】
図１は、電子デバイスにおけるＢｌｕｅｔｏｏｔｈ（登録商標）およびＷＬＡＮの共存のためのシステムアーキテクチャの例示的な一実施形態を示す。システム１０は、電子デバイス１２と、Ｂｌｕｅｔｏｏｔｈ（登録商標）ピア１４と、ＷＬＡＮアクセスポイントまたはピア（ＷＬＡＮ  ＡＰ／ピア）１６とを含む。電子デバイス１２は、Ｂｌｕｅｔｏｏｔｈ（登録商標）およびＷＬＡＮの送受信を利用するように動作する任意のデバイスであってもよい。電子デバイス１２は、概して、同じデバイス上に並置されるＢｌｕｅｔｏｏｔｈ（登録商標）およびＷＬＡＮ機能を有する、あらゆるポータブル、モバイル、またはハンドヘルドの無線電子デバイスであってもよい。このような電子デバイスの例には、セルラー送受話器、バッテリ駆動のメディアプレーヤ、携帯型ゲームコンソール、スマートフォン、携帯情報端末（ＰＤＡ）、および超低電力コンピューティングプラットフォームが挙げられる、
【００１４】
電子デバイス１２は、アンテナ１８と、無線周波数（ＲＦ）フロントエンド２０と、オンチップのＢｌｕｅｔｏｏｔｈ（登録商標）およびＷＬＡＮシステム２２（以下、ＳｏＣ２２と称する）と、ホストプロセッサ２４とを含み得る。電子デバイス１２は、Ｂｌｕｅｔｏｏｔｈ（登録商標）ピア１４とのＢｌｕｅｔｏｏｔｈ（登録商標）リンク２８を保持し、かつＷＬＡＮ  ＡＰ／ピア１６とのＷＬＡＮリンク３０を保持するように、共有のアンテナ１８を利用することができる。他の実施形態では、アンテナ１８の機能を提供するために、２つ以上のアンテナを用いることができる。ＲＦフロントエンド２０は、アンテナ１８とＳｏＣ２２との間に連結され、ＳｏＣ２２は、ホストプロセッサ２４に連結される。
【００１５】
一実施形態では、ＲＦフロントエンド２０およびＳｏＣ２２は、一体化したＢｌｕｅｔｏｏｔｈ（登録商標）基底帯域／ＲＦおよび８０２．１１ａ／ｂ／ｇＷＬＡＮを、電子デバイス１２に提供し得る。ＳｏＣ２２の一実施例は、Ｍａｒｖｅｌｌ  Ｓｅｍｉｃｏｎｄｕｃｔｏｒ，Ｉｎｃ．から市販されている、８０２．１１ｂ／ｇ  ８８Ｗ８６８８  ＷＬＡＮ／ＢＴ組み合せＳｏＣである。ＳｏＣ２２は、ＷＬＡＮおよびＢｌｕｅｔｏｏｔｈ（登録商標）の両方のための送受信機として機能する。ＳｏＣ２２は、ＷＬＡＮおよびＢｌｕｅｔｏｏｔｈ（登録商標）の接続のために、統合ホストインターフェースか、または独立ホストインターフェースのいずれかを使用して、ホストプロセッサ２４に接続することができる。
【００１６】
ＳｏＣ２２は、以下に説明するように、Ｂｌｕｅｔｏｏｔｈ（登録商標）信号およびＷＬＡＮ信号を実質的に同時に送受信することができるようにＲＦフロントエンド２０の動作を制御する、送受信（Ｔ／Ｒ）制御論理２６を含む。Ｔ／Ｒ制御論理２６は、ソフトウェア、ハードウェア、または両方の組み合わせとして実装され得る。
【００１７】
図２は、一実施形態による、ＲＦフロントエンドアーキテクチャを示すブロック図であり、図中、図１と同じ構成要素は、同じ参照番号を有する。ＲＦフロントエンドアーキテクチャ２０は、ＳｏＣ２２送受信機と連動して電子デバイス１２で使用するように示されているが、ＲＦフロントエンドアーキテクチャ２０は、他のタイプの送受信機を有するデバイス、および並置されたＷＬＡＮおよびＢｌｕｅｔｏｏｔｈ（登録商標）デバイスにも適用することができる。
【００１８】
例示的な一実施形態では、ＲＦフロントエンドアーキテクチャ２０は、スイッチ２００と、ＲＦ経路２０２ａ、２０２ｂ、および２０２ｃと、帯域通過フィルタ（ＢＰＦ）２０８とを含み得る。帯域通過フィルタ（ＢＰＦ）２０８は、共有のアンテナ１８とスイッチ２００との間に連結され得、かつ、入出力信号を所望の周波数帯域幅にフィルタ処理するように機能し得る。
【００１９】
経路２０２ａ、２０２ｂ、および２０２ｃは、ＳｏＣ２２と、スイッチ２００の３つの送受信（ＴＸ／ＲＸ）ポート２０４ａ、２０４ｂ、および２０４ｃとの間に連結され得る。経路２０２ａおよびポート２０４ａは、ＷＬＡＮ信号（ＷＬＡＮ  ＴＸ）の送信専用であり得る。経路２０２ｂおよびポート２０４ｂは、Ｂｌｕｅｔｏｏｔｈ（登録商標）信号およびＷＬＡＮ信号（ＢＴ−ＲＸ／ＷＬＡＮ  ＲＸ）の同時受信専用であり得る。そして、ポート２０４ｃは、Ｂｌｕｅｔｏｏｔｈ（登録商標）信号だけの送信専用に示されているが、対応する経路２０２ｃは、１）ＷＬＡＮリンクがアクティブである時に、Ｂｌｕｅｔｏｏｔｈ（登録商標）信号（ＢＴ−ＴＸ）の送信だけの専用となり得、また、２）ＷＬＡＮリンクがアクティブであり、かつ省電力状態である時、およびＷＬＡＮリンクが非アクティブである時に、Ｂｌｕｅｔｏｏｔｈ（登録商標）信号（ＢＴ−ＲＸ）の送受信専用となり得る。
【００２０】
スイッチ２００は、３つの経路２０２ａ、２０２ｂ、および２０２ｃのうちのどの経路をアンテナ１８に接続するのかを制御し得る。一実施形態では、スイッチ２００は、単極３投スイッチ（ＳＰ３Ｔ）として実装され得る。スイッチ２００の機能は、ＳｏＣ２２のＴ／Ｒ制御論理２６からの信号Ｃ１、Ｃ２、およびＣ３によって制御される。例えば、Ｃ１は、スイッチ２００にポート２０４ａを選択させ、Ｃ２は、スイッチ２００にポート２０４ｂを選択させ、Ｃ３は、スイッチ２００にポート２０４ｃを選択させてもよい。
【００２１】
一実施形態では、ＷＬＡＮ送信だけの専用である経路２０２ａは、ＷＬＡＮ送信を増幅する電力増幅器（ＰＡ）２１０を含み得る。これは、ＷＬＡＮの送信電力を所望の範囲まで増強させる。
【００２２】
一実施形態では、経路２０２ｂは、増幅器および分割器を含み得る。一実施形態では、増幅器は、低雑音増幅器（ＬＮＡ）２１２を備るが、分布増幅器を使用することもでき、分割器２１４は、ＲＦ分割器を備える。一実施形態では、分割器２１４は、ＲＦ分割器を備え得る。分割器２１４は、経路２０２ｂが、アンテナ１８からＷＬＡＮ信号ならびにＢＴ信号を受信することができるようにし、ＳｏＣ２２が、ＬＡＮ信号およびＢＴ信号を時間的に同時に受信するのを可能にする。入力ＷＬＡＮおよびＢＴ受信信号は、ＢＰＦ２０８、スイッチ２００、および分割器２１４において信号強度の損失を受けるので、受信したＢｌｕｅｔｏｏｔｈ（登録商標）およびＷＬＡＮ信号によって共有されるＬＮＡ２１２は、信号強度の損失を補うように、両方の信号を増幅する。分割器２１４は、ＬＮＡ２１２によって出力される増幅されたＢｌｕｅｔｏｏｔｈ（登録商標）およびＷＬＡＮ信号出力を、ＷＬＡＮ受信経路２１６およびＢｌｕｅｔｏｏｔｈ（登録商標）受信経路２１８上に分割する。ＷＬＡＮ受信経路２１６は、ＳｏＣ２２に連結され、一方で、Ｂｌｕｅｔｏｏｔｈ（登録商標）受信経路２１８は、Ｂｌｕｅｔｏｏｔｈ（登録商標）受信のための経路２０２ｃの入力に使用される。一実施形態では、ＬＮＡ２１２は、受信したＢｌｕｅｔｏｏｔｈ（登録商標）信号およびＷＬＡＮ信号を約１４ｄＢだけ増幅し得、一方で、分割器２１４は、ＷＬＡＮ受信経路２１６およびＢｌｕｅｔｏｏｔｈ（登録商標）受信経路２１８の両方に対して、約−３．５ｄＢの損失をもたらし得る。
【００２３】
一実施形態では、ＬＮＡ２１２は、２つの入力制御、すなわち、どちらもＴ／Ｒ制御論理２６から発生する、イネーブル（ＥＮ）信号２２４と、バイパス信号２２６とを有し得る。イネーブル信号２２４は、ＬＮＡ２１２を有効および無効のどちらにもすることができ、それによって、経路２０２ｂが選択されていない時はいつでも、ＬＮＡ２１２のスイッチをオフして、ＲＦフロントエンド２０の全体的な電流消費を低減することができる。バイパス信号２２６は、経路２０２ｂが選択されているが、いかなる利得も必要としない時に、Ｂｌｕｅｔｏｏｔｈ（登録商標）信号およびＷＬＡＮ信号に、ＬＮＡ２１２を通過させ得る。これは、ＳｏＣ２２内のＷＬＡＮおよびＢｌｕｅｔｏｏｔｈ（登録商標）受信経路２１６および２１８の過飽和を回避するためのものである。
【００２４】
経路２０２ｂおよび２０２ｃのＢｌｕｅｔｏｏｔｈ（登録商標）信号は、単極双投（ＳＰＤＴ）スイッチ等のスイッチ２２０を使用して、さらに多重化される。スイッチ２２０は、ＲＦフロントエンド２０が経路２０２ｂ上でＢｌｕｅｔｏｏｔｈ（登録商標）信号を受信している時に、Ｂｌｕｅｔｏｏｔｈ（登録商標）受信経路２１８を選択し、また、ＲＦフロントエンド２０がＢｌｕｅｔｏｏｔｈ（登録商標）信号を送信している時に、経路２０２ｃを選択する。Ｔ／Ｒ制御論理２６からの信号Ｄ１  ２２８は、スイッチ２２０の選択を制御する。スイッチ２２０がＳＰＤＴスイッチを備える場合の実施形態では、２つの離散入力が必要とされるので、信号Ｄ１  ２２８は、ＳｏＣ２２からの２つの別々の（または導出された）信号で置き換えられ得、その場合、スイッチへの他方の入力は、場合によっては、第１の入力の論理否定となり得る。
【００２５】
スイッチ２２０の出力は、バラン２２２に連結することができ、バラン２２２は次いで、ＳｏＣ２２に連結される。バランは、平衡線（ツイストペアケーブル等の、相対する方向に等しい電流を伴う、２つの導体を有するもの）を、不平衡線（同軸ケーブル等の、単に１つの導体および接地を有するもの）に結合する。一実施形態では、バラン２２２は、ＳｏＣ２２に入るＢｌｕｅｔｏｏｔｈ（登録商標）信号の質を改善するために使用され得る。
【００２６】
一実施形態では、経路２０２ｃは、３つの相互排他的な機能を果たす。１）並置されたＷＬＡＮ  ＡＰ／ピア１６に沿って動作し、アクティブであるＷＬＡＮリンク３０を想定した時に、経路２０６は、Ｂｌｕｅｔｏｏｔｈ（登録商標）送信だけに対して専用である。２）並置されたＷＬＡＮ  ＡＰ／ピア１６に沿って動作し、アクティブであるＷＬＡＮリンク３０を想定するが、省電力状態（すなわち、ドーズ状態）である時に、経路２０２ｃは、Ｂｌｕｅｔｏｏｔｈ（登録商標）の送受信両方に対して専用である。３）並置されたＷＬＡＮ  ＡＰ／ピア１６に沿って動作し、非アクティブであるＷＬＡＮリンク３０（例えば、デバイス１２でＷＬＡＮのスイッチがオフである）を想定した時に、経路２０２ｃは、Ｂｌｕｅｔｏｏｔｈ（登録商標）の送信ならびに受信のために使用される。
【００２７】
スイッチ２００上のポート２０４ａ、２０４ｂ、および２０４ｃを切り替える論理は、ＳｏＣ２２のＴ／Ｒ制御論理２６内にある。この論理は、Ｂｌｕｅｔｏｏｔｈ（登録商標）トラフィックのタイプ、ＷＬＡＮトラフィックのタイプ、および２つの並置されたＢｌｕｅｔｏｏｔｈ（登録商標）ピア１４およびＷＬＡＮ  ＡＰ／ピア１６デバイスの個々の状態に基づいて構成することができる。表１は、異なるＷＬＡＮおよびＢＴの状態の間に、制御信号Ｃ１、Ｃ２、Ｃ３、およびＤ１を実装するために使用することができる、論理真理値表を示し、表中、Ｘは、決定には関係しないことを意味する。
【００２８】
【表１】
0005585964.tif 000002
【００２９】
表１内の縦列は、ＷＬＡＮの送信（Ｔｘ）または受信（Ｒｘ）のいずれかであり、また、並置されたＢｌｕｅｔｏｏｔｈ（登録商標）デバイス１４が同時にアウェイクまたはオフ状態のいずれかである際に、経路２０２ａ、２０２ｂ、および２０２ｃのうちのどの経路を使用するかを示す。
【００３０】
【表２】
0005585964.tif 000003
【００３１】
同様に、表２は、Ｂｌｕｅｔｏｏｔｈ（登録商標）が送信（Ｔｘ）または受信（Ｒｘ）しており、ＷＬＡＮ  ＡＰ／ピア１６がアウェイク、スリープ、またはオフ状態のいずれかでである時に、経路２０２ｂおよび２０２ｃのうちどちらを使用するのかを示す。上記の２つの表内のアウェイク状態は、アイドルを意味する。換言すれば、並置されたデバイスは、電源が投入されているが、いかなる近隣のデバイスともアクティブなリンクを保持していない。
【００３２】
表３は、スイッチ２００内のポート遷移の可能な実施例を示す。この表では、ＷＬＡＮおよびＢｌｕｅｔｏｏｔｈ（登録商標）は、どちらも、それらのそれぞれのアウェイク状態である。遷移は、ＳｏＣ２２が経路間を移動するよう決定した場合にだけ生じる。例えば、第１のポート遷移は、Ｂｌｕｅｔｏｏｔｈ（登録商標）送信からＷＬＡＮ送信への遷移である。全ての示される組み合わせについて、逆の遷移も適宜に逆方向に適用される。
【００３３】
【表３】
0005585964.tif 000004
【００３４】
以下、スイッチ遷移に関する付加的な要点を説明する。一実施形態では、Ｂｌｕｅｔｏｏｔｈ（登録商標）受信からＷＬＡＮ受信、およびＷＬＡＮ受信からＢｌｕｅｔｏｏｔｈ（登録商標）受信について、いかなるスイッチ遷移も存在しない。これは、同時のＷＬＡＮ受信およびＢｌｕｅｔｏｏｔｈ（登録商標）ＲＸを可能にする。すなわち、これらの２つの経路２０４ａまたは２０２ｃのうちの１つに対する継続中の受信は、他方の経路で予期される、より高い優先度の受信のために中断されることがない。一実施形態では、スイッチ２００のデフォルト状態は、経路２０２ｂである。したがって、スイッチ２００は、送信または受信に対する他のいかなる保留中の要求も存在しない場合には、経路２０２ｂに切り替える。
【００３５】
共有のＬＮＡを使用するＢｌｕｅｔｏｏｔｈ（登録商標）およびＷＬＡＮの共存アーキテクチャを開示した。本発明は、示される実施形態に従って説明しており、実施形態の変形が存在し得るが、いかなる変形も本発明の範囲内にある。例えば、本発明は、ハードウェア、ソフトウェア、プログラム命令を含むコンピュータで読み取り可能な媒体、またはそれらの組み合わせを使用して実装することができる。本発明によって書き込まれるソフトウェアは、メモリまたはＣＤ−ＲＯＭ等のある形態のコンピュータが読み取り可能な媒体のうちのいずれかに格納され、プロセッサによって実行される。したがって、添付の特許請求の範囲から逸脱することなく、多くの改良を行うことができる。
【図１】
0005585964.tif 000005
【図２】
0005585964.tif 000006